(57)【要約】【課題】モアー装置の昇降作動に伴って、連係リンク機構を用いて容器側底板を揺動作動させる際に、モアー側底板と容器側底板との間隔が大きく変化することを回避し得る乗用型草刈機を提供しようとするものである。【解決手段】モアー側ダクト部分３４と容器側底板４６を連結する連係リンク機構に、容器側底板４６の下面側に当接して容器側底板４６を押し上げ方向に操作するカム部材５７が備えられ、容器側底板４６の下面側に、カム部材５７と当接する位置の容器側底板４６の下面に引き続いてカム部材５７と当接する位置にガイドプレート６０が設けられ、ガイドプレート６０が、カム部材５７の押し上げ量に対する容器側底板４６の揺動角度の変化量を、カム部材５７がガイドプレート６０と当接しない箇所における変化量よりも大きくする側へ変化させるように構成されている。【選択図】図５
2020103052.tif 000002
【特許請求の範囲】
【請求項１】
前輪と後輪との前後方向での間隔幅内に備えた草刈り用のモアー装置と、
前記後輪よりも後方の機体後部に備えられた集草容器と、
前記モアー装置から前記集草容器へ向けて刈草を案内する集草ダクトと、が備えられた乗用型草刈機であって、
前記集草ダクトが、前記モアー装置に固定されて前記モアー装置の昇降動作に追随して上下移動するモアー側ダクト部分と、集草容器側に固定されている容器側ダクト部分と、を備え、
前記モアー側ダクト部分の底板となるモアー側底板と、前記容器側ダクト部分の底板となる容器側底板と、が備えられ、
前記モアー側ダクト部分の上昇作動に伴って前記容器側底板のモアー側端部を上下揺動させるように、前記モアー側ダクト部分と前記容器側底板を連結する連係リンク機構を設けてあり、
前記連係リンク機構に、前記容器側底板の下面側に当接して前記容器側底板を押し上げ方向に操作するカム部材が備えられ、
前記容器側底板の下面側に、前記カム部材と当接する位置の前記容器側底板の下面に引き続いて前記カム部材と当接する位置にガイドプレートが設けられ、
前記ガイドプレートが、前記カム部材の押し上げ量に対する前記容器側底板の揺動角度の変化量を、前記カム部材が前記ガイドプレートと当接しない箇所における変化量よりも大きくする側へ変化させるように構成されている乗用型草刈機。
【請求項２】
前記ガイドプレートは、前記容器側底板における左右方向での一側端部に形成されている請求項１記載の乗用型草刈機。
【発明の詳細な説明】
【技術分野】
【０００１】
本発明は、前輪と後輪との前後方向での間隔幅内に備えた草刈り用のモアー装置と、後輪よりも後方の機体後部に備えられた集草容器と、モアー装置から集草容器へ向けて刈草を案内する集草ダクトと、が備えられた乗用型草刈機に関する。
【背景技術】
【０００２】
従来の乗用草刈機では、モアー装置に形成されたモアー側ダクト部分と、集草容器側に固定されている容器側ダクト部分排出部と集草容器側のダクトの入口部とが嵌り合うように差し込まれて接続される。モアー装置により生起される搬送風を利用して、モアー装置の排出部から集草容器側のダクト内部に連なる搬送経路を通して刈草が集草容器に送風案内される。
そして、リンク機構を介して昇降可能に支持されているモアー装置の昇降を許容しながら、搬送経路の底部が連なる状態を維持するように、集草ダクトの底部が、モアー装置の昇降に伴って姿勢変更可能に設けられていた（例えば、特許文献１参照）。
【先行技術文献】
【特許文献】
【０００３】
【特許文献１】特開２０１６−１４０２６４号公報（段落番号００５６、００６１、図３、４参照）
【発明の概要】
【発明が解決しようとする課題】
【０００４】
上記の特許文献１に記載の草刈機においては、容器側底板の下面は平板状であるため、容器側底板の下面を押し上げて揺動させる押し上げカムの軌跡に対する容器側底板の接触角度が徐々に変化し、刈高さによっては、モアー側底板と容器側底板との間隔が広くなりすぎてしまう虞があり、この点で改善の余地があった。
【０００５】
本発明は、モアー装置の昇降作動に伴って、モアー側底板と容器側底板が干渉しないように、連係リンク機構を用いて容器側底板を揺動作動させる際に、モアー側底板と容器側底板との間隔が大きく変化することを回避し得る乗用型草刈機を提供しようとするものである。
【課題を解決するための手段】
【０００６】
本発明における乗用型草刈機の特徴は、前輪と後輪との前後方向での間隔幅内に備えた草刈り用のモアー装置と、前記後輪よりも後方の機体後部に備えられた集草容器と、前記モアー装置から前記集草容器へ向けて刈草を案内する集草ダクトと、が備えられた乗用型草刈機であって、前記集草ダクトが、前記モアー装置に固定されて前記モアー装置の昇降動作に追随して上下移動するモアー側ダクト部分と、集草容器側に固定されている容器側ダクト部分と、を備え、前記モアー側ダクト部分の底板となるモアー側底板と、前記容器側ダクト部分の底板となる容器側底板と、が備えられ、前記モアー側ダクト部分の上昇作動に伴って前記容器側底板のモアー側端部を上下揺動させるように、前記モアー側ダクト部分と前記容器側底板を連結する連係リンク機構を設けてあり、前記連係リンク機構に、前記容器側底板の下面側に当接して前記容器側底板を押し上げ方向に操作するカム部材が備えられ、前記容器側底板の下面側に、前記カム部材と当接する位置の前記容器側底板の下面に引き続いて前記カム部材と当接する位置にガイドプレートが設けられ、前記ガイドプレートが、前記カム部材の押し上げ量に対する前記容器側底板の揺動角度の変化量を、前記カム部材が前記ガイドプレートと当接しない箇所における変化量よりも大きくする側へ変化させるように構成されていることである。
【０００７】
本発明によれば、容器側底板の下面側にガイドプレートを設けて、カム部材の押し上げ量に対する容器側底板の揺動角度の変化量を、カム部材がガイドプレートと当接しない箇所における変化量よりも大きくする側へ変化させることができる。
これにより、モアー側ダクト部分を上昇作動させたとき、連係リンク機構の作動に伴うカム部材の押し上げ量が減ってきても、ガイドプレートによって容器側底板の所要の変化量を確保し得るので、モアー側底板と容器側底板との相対的な姿勢変化は少なくし、モアー側底板と容器側底板との間における間隔が広くなりすぎることを避けやすいという利点がある。
【０００８】
上記構成において、前記ガイドプレートは、前記容器側底板における左右方向での一側端部に形成されていると好適である。
【０００９】
本構成によれば、ガイドプレートを、左右方向で、連係リンク機構やカム部材が配設された箇所の近くにまとめて配設でき、容器側底板の揺動角度の変更に関連する部材の全体を、比較的コンパクトに構成し易い。
【図面の簡単な説明】
【００１０】
【図１】乗用型草刈機の全体側面図である。
【図２】モアー側ダクト部分と容器側ダクト部分を示す側面図である。
【図３】モアー側ダクト部分と容器側ダクト部分を示す横断平面図である。
【図４】モアー側ダクト部分と容器側ダクト部分を示す分解斜視図である。
【図５】モアー側ダクト部分と容器側ダクト部分を示す縦断側面図である。
【図６】容器側底板におけるカム部材との関連動作を示す説明図である。
【発明を実施するための形態】
【００１１】
以下、本発明の実施の形態を図面の記載に基づいて説明する。
尚、本実施形態での説明における前後方向及び左右方向は、特段の説明がない限り、次のように記載している。つまり、本発明を適用した乗用型草刈機の作業走行時における前進側の進行方向（図１における矢印Ｆ参照）が「前」、後進側への進行方向（図１における矢印Ｂ参照）が「後」、その前後方向での前向き姿勢を基準としての右側に相当する方向（図３における矢印Ｒ参照）が「右」、同様に左側に相当する方向（図３における矢印Ｌ参照）が「左」である。
【００１２】
〔全体構成〕
図１，２に示すように、草刈機は、走行機体１における前側に左右一対の操向操作可能な前輪１Ｆを備え、後側に左右一対の駆動可能な後輪１Ｒを備えて自走するように構成されている。車体の下方で、前後方向における前輪１Ｆと後輪１Ｒとの間に、リヤディスチャージ型式のモアー装置４が昇降操作可能に吊り下げ支持されている。その走行機体１の後方側に、モアー装置４で刈り取られた刈草を収容する集草部としての集草容器５が設けられている。
モアー装置４と集草容器５は、内部に刈草搬送路Ｒ１を備えた集草ダクト２を介して連通する状態に設けられている。この集草ダクト２は、後述するモアー装置４に固定されてモアー装置４の昇降動作に追随して上下移動するモアー側ダクト部分３４と、集草容器５側に固定されている容器側ダクト部分３５と、を備えている。
【００１３】
走行機体１の前部に原動部６が設けられ、原動部６の後部側に搭乗運転部７が設けられている。原動部６では、エンジン８が、エンジンボンネット９に内装された状態で機体フレーム１０に搭載支持されている。エンジン８の後方側から取り出された動力は、後方に向けて延びる伝動軸１１を介して後方に位置する静油圧式無段変速装置（ＨＳＴ）１２に入力される。静油圧式無段変速装置１２からの出力が後部に設けられたミッションケース１３及び左右両側の伝動ケース１４に内装されたチェーン式伝動機構（図示せず）を介して左右の後車軸に伝達され、後輪１Ｒが駆動される。伝動ケース１４は、ミッションケース１３の横側部から後斜め下方に向けて延設されている。
【００１４】
エンジン８の前側に、ベルト伝動機構によって構成された動力取り出し機構１５が設けられ、この動力取り出し機構１５に備えたＰＴＯ軸１６及びモアー装置４の上部に備えられた伝動機構３３を介して、エンジン８の動力がモアー装置４に伝達されている。
【００１５】
搭乗運転部７には、エンジンボンネット９の後方側に連なる操縦パネル１７、及び、前輪１Ｆを操向操作可能なステアリングホイール１８等を備えた操縦部１９が設けられている。そして、操縦部１９の後方側には、運転座席２０が設置され、その運転座席２０の後部箇所にロプス２１が備えられている。
【００１６】
〔モアー装置の構成〕
モアー装置４は、刈刃ハウジング３１内に２枚のブレード３２を左右に並べる状態で備える構造のものであり、左側のブレード３２が時計回りに駆動されるに対して、右側のブレード３２が反時計回りに駆動される。このように、各ブレード３２が互いに逆回転駆動されるように構成されている。そして、左側のブレード３２が時計回りに駆動され、右側のブレード３２が反時計回りに駆動されることで、刈草が両ブレード３２の回転によって発生した搬送風に乗って刈刃ハウジング３１の後部中央近くに形成したモアー側ダクト部分３４から後方へ排出されるように構成されている。モアー側ダクト部分３４から排出される刈草は、そのモアー側ダクト部分３４に接続される集草用の容器側ダクト部分３５により案内され、集草容器５に送り込まれて収容される。
【００１７】
モアー装置４は、昇降リンク機構３６を介して昇降可能に機体フレーム１０に支持されている。昇降リンク機構３６は、上端側が機体フレーム１０に枢支連結され、且つ、下端側が刈刃ハウジング３１に枢支連結された前後一対の揺動リンク３７Ａ、３７Ｂを左右両側に１組ずつ備えている。
【００１８】
そして、刈刃ハウジング３１の上部における前部側箇所及び後部側箇所の夫々に、刈刃ハウジング３１の上面から上方に延びる左右一対の縦向き延設部３１Ａ，３１Ｂが立設されている。前部側の縦向き延設部３１Ａ及び後部側の縦向き延設部３１Ｂは、夫々、板体を平面視で略Ｌ字形に折り曲げた形状となっており、刈刃ハウジング３１の上面に溶接にて一体的に連結されている。
【００１９】
前側の揺動リンク３７Ａは、一端が走行機体１における機体フレーム１０に横向き軸芯周りで揺動可能に連結されるとともに、他端が前部側の縦向き延設部３１Ａの上部に横向き軸芯周りで揺動可能に連結されている。一方、後側の揺動リンク３７Ｂは、一端が走行機体１における機体フレーム１０に横向き軸芯周りで揺動可能に連結されるとともに、他端が後部側の縦向き延設部３１Ｂの上部に横向き軸芯周りで揺動可能に連結されている。
【００２０】
前側の揺動リンク３７Ａと後側の揺動リンク３７Ｂとは、その上端側が連結杆３８で連動連結されており、前側の揺動リンク３７Ａに形成された操作部３７Ａ１に昇降用の油圧シリンダ３９の一端部が枢支連結されている。油圧シリンダ３９の他端部が機体フレーム１０に枢支連結されている。油圧シリンダ３９の伸縮作動に伴って揺動リンク３７Ａ，３７Ｂを揺動操作することによりモアー装置４を昇降操作可能に構成されている。モアー装置４は、刈取作業状態では、刈刃ハウジング３１の下端部に配備されたゲージ輪４０を接地させた状態で接地追従しながら刈取走行を行う。
【００２１】
〔集草ダクト〕
図２乃至図５に示すように、モアー側ダクト部分３４は、刈刃ハウジング３１の左右方向中央後部に、後斜め上方へ延びるように形成されている。モアー側ダクト部分３４は、刈刃ハウジング３１に一体的に連設されるモアー側ダクト本体４１と、モアー側ダクト本体４１の底部を形成するモアー側底板４２とを備えている。モアー側ダクト本体４１は、天井面４１ａと左右両側の側面４１ｂとを有し、前後方向視で逆Ｕ字形に形成されている。そして、板状のモアー側底板４２がモアー側ダクト本体４１にて形成される内部空間の下部を覆う状態で備えられている。従って、モアー側ダクト本体４１とモアー側底板４２とによって後斜め上方に向けて延びる略矩形筒状の搬送経路が形成されている。モアー側底板４２の搬送途中には、刈草を上向き方向に案内する上方案内面４３が形成されている。
【００２２】
図２乃至図５に示すように、モアー側底板４２は、モアー側ダクト本体４１の左右両側の側面４１ｂに亘って架設された支軸４４によって、刈刃ハウジング３１に対して上下回動可能に支持されている。モアー側底板４２は、第一連係機構７０を介して運転座席２０の近傍に備えられた第一操作レバー７１に連係されており、モアー側底板４２は、第一操作レバー７１を手動操作することによって揺動操作可能に構成されている。刈取作業に伴って、モアー側ダクト部分３４にて刈草が詰まった場合に、第一操作レバー７１を往復揺動操作することで、刈草の詰まりを解して搬送させることができる。
【００２３】
図３，４，５に示すように、第一連係機構７０は、左右向きの支軸部７２を有して刈刃ハウジング３１の右側後部に上下揺動可能に支持された第一操作レバー７１、支軸部７２の左端部位に固定された第一アーム７３、支軸４４の右端部に固定された第二アーム７４、及び、第一アーム７３と第二アーム７４とを連係する押し引きリンク７５、引っ張りバネ７６などを備えている。引っ張りバネ７６の作用によって第一アーム７３が前傾方向に揺動付勢され、且つ、接当部７７にて規制されることにより、モアー側底板４２を後上がりの案内姿勢に保持する。第一操作レバー７１が、後上方に向けて引き上げ揺動操作されることにより、引っ張りバネ７６の付勢力に抗して、モアー側底板４２を後上がりの案内姿勢から前上がり方向に揺動させることができる。
【００２４】
刈り取り作業中に、モアー側ダクト部分３４において、刈草がモアー側底板４２に付着堆積する詰まりが生じた場合には、運転者は、運転座席２０に座っている状態で、第一操作レバー７１を上下方向に揺動させることにより、モアー側底板４２を上下方向に揺動させることができ、付着堆積した刈草を取り除くことができる。
【００２５】
次に、集草用の容器側ダクト部分３５について説明する。
図２乃至図５に示すように、刈刃ハウジング３１に形成されたモアー側ダクト部分３４に連通するように接続されてモアー側ダクト部分３４から送り出される刈草を案内する集草用の容器側ダクト部分３５が備えられている。容器側ダクト部分３５は、左右の伝動ケース１４同士の間に形成される空間において前後方向に延びる状態で備えられている。
【００２６】
図２乃至図５に示すように、容器側ダクト部分３５は、容器側ダクト本体４５と容器側底板４６とを備えている。容器側ダクト本体４５は、天井面４５ａと左右両側の側面４６ｂとを有し、前後方向視で逆Ｕ字形に形成されている。そして、板状の容器側底板４６が容器側ダクト本体４５にて形成される内部空間の下部を覆う状態で備えられている。従って、モアー装置４のモアー側ダクト部分３４と同様に、容器側ダクト本体４５と容器側底板４６とによって囲われる内部領域にて、後斜め上方に向けて延びる略矩形筒状の搬送経路が形成されている。
【００２７】
容器側ダクト部分３５の右側には、容器側ダクト本体４５のモアー側ダクト部分３４に対する接続箇所としての、右側の側面４１ｂの後側下端部付近に対して横幅方向外方側から接当して、容器側ダクト本体４５の外方側への姿勢変化を抑制する右側の変形防止部材としてのダクトストッパ５８が備えられている。
【００２８】
容器側ダクト部分３５の左右両側外方に位置固定状態の支持部材４７が備えられている。図示はしていないが、支持部材４７は、機体フレーム１０及び伝動ケース１４等に連結されて位置固定状態で支持されている。容器側ダクト部分３５における容器側底板４６が、横軸芯周りで上下揺動可能に左右の支持部材４７によって支持されている。すなわち、図３，４に示すように、左右の支持部材４７に亘って架設される状態で回動支軸４８が設けられている。容器側底板４６の下面から一体的に連結されて後下方に向けて左右の支持アーム４９が延設されている。左右の支持アーム４９の延設端部に設けられたボス部４９Ａが回動支軸４８に対して回動可能に外嵌支持されている。
【００２９】
容器側ダクト部分３５の容器側底板４６は、第二連係機構５０を介して運転座席２０の横側に設けられた第二操作レバー５１と連動連結され、第二操作レバー５１を操作することにより回動操作可能に構成されている。図４，１０に示すように、第二操作レバー５１は、横向き軸部５１ａにより回動可能に支持され、その横向き軸部５１ａの左側端部に一体回動する第一アーム７８が備えられている。支持アーム４９の回動ボス部４９ａに連設された第二アーム７９とが押し引きリンク８０を介して連動連係されている。従って、第二操作レバー５１を揺動操作すると、第二連係機構５０の連係構造により、容器側底板４６が揺動する。その結果、モアー側底板４２と同様に、刈取作業に伴って容器側ダクト部分３５の内部で刈草が詰まった場合に、第二操作レバー５１を往復揺動操作することにより刈草の詰まりを解して搬送させることができる。
【００３０】
容器側ダクト部分３５の容器側底板４６は、第二操作レバー５１の操作による姿勢切り換えとは別に、モアー装置４の昇降操作に連動して姿勢変更可能に構成されている。説明を加えると、図２乃至図４に示すように、モアー装置４の昇降に連動して容器側底板４６を姿勢変更するように、モアー装置４と容器側底板４６とを連動連係する連係リンク機構５２が備えられている。連係リンク機構５２は、容器側ダクト部分３５の左外側方に位置する状態で備えられている。
【００３１】
連係リンク機構５２は、一端部がモアー側底板４２を支持する支軸４４の左側端部に連動連係されている押し引きリンク５４と、支持部材４７に備えられた支点ピン５５と、押し引きリンク５４の他端部が枢支連結され且つ支点ピン５５により揺動可能に支持された揺動アーム５６と、を備えている。そして、連係リンク機構５２の作動に連係するように、揺動アーム５６と一体揺動可能に支点ピン５５により支持され、且つ揺動端が容器側底板４６の下面に接当作用する揺動可能なカム部材５７が備えられている。押し引きリンク５４は、ターンバックル部５４ａを備えている。
【００３２】
ターンバックル部５４ａの外側に、帯板状の部材の長手方向の両側端部に同じ方向に屈曲させて、略Ｕ字形に形成された受止め部材５３が一体的に連結される状態で装着されている。この受止め部材５３は、容器側ダクト本体４５の左側の側面４５ｂとの間に少しだけ隙間がある状態で近接して設けられ、容器側ダクト本体４５の左側の側面４５ｂの変形防止に役立っている。
【００３３】
モアー装置４が上昇すると、それに伴って、支軸４４が上昇し、押し引きリンク５４を押し操作して、揺動アーム５６及びカム部材５７が揺動して、容器側底板４６を前上がり状態に姿勢変更させる。モアー装置４が下降すると、支軸４４が下降し、押し引きリンク５４を引き操作して、揺動アーム５６及びカム部材５７が揺動して、容器側底板４６を前下がり状態に姿勢変更させる。その結果、モアー装置４の昇降に起因して容器側底板４６が損傷したり、モアー側底板４２と容器側底板４６との間の隙間から刈草が放出されること等を防止できる。
【００３４】
押し引きリンク５４の支軸４４に対する連係箇所は長孔に形成されており、第二操作レバー５１の操作による姿勢切り換えを行っても、モアー側底板４２が連動して揺動することはなく、モアー側底板４２の揺動操作を行っても、容器側底板４６が連動して揺動することはない。
【００３５】
〔ガイドプレート〕
図２乃至図５に示すように、容器側底板４６の下面にはガイドプレート６０が設けられている。
このガイドプレート６０は、前後方向に長い帯板状の部材を下向きＶ字状に屈曲させて、容器側底板４６における左右方向での一側端に近い位置に設けたものである。
【００３６】
このガイドプレート６０は、連係リンク機構５２に連設されたカム部材５７の揺動軌跡と重複する位置にある。したがて、モアー装置４の上昇に伴って連係リンク機構５２が作動すると、支軸４４が上昇し、押し引きリンク５４を押し操作して、揺動アーム５６及びカム部材５７が揺動して、容器側底板４６を前上がり状態に姿勢変更させる。
このとき、カム部材５７がガイドプレート６０に乗り上がると、カム部材５７が容器側底板４６の下面に当接していた場合よりも、容器側底板４６を、より大きく前上がり状態に姿勢変更させる。
【００３７】
つまり、図６に示すように、容器側底板４６は、回動支軸４８の軸心回りで上下揺動する。このときの容器側底板４６の前端部は、揺動軌跡ｒ２上を移動する。
カム部材５７は、揺動アーム５６の動きに連動して、支点ピン５５の軸心回りで揺動する。このカム部材５７の容器側底板４６の下面に対する接触点は、移動軌跡ｒ１上を移動する。
符号６０がガイドプレートである。
【００３８】
容器側底板４６の下面に対するカム部材５７の接触点の位置が、図中ｔ０であるとき、容器側底板４６の前端位置は図中ａ０の位置にある。このとき、カム部材５７は容器側底板４６の下面に接触し、ガイドプレート６０には接触していない。
【００３９】
容器側底板４６の下面に対するカム部材５７の接触点の位置が、図中ｔ１に移行すると、容器側底板４６は少し押し上げられて図中ａ１の位置にある。このとき、カム部材５７は容器側底板４６の下面に接触し、ガイドプレート６０には接触していない。
【００４０】
容器側底板４６の下面に対するカム部材５７の接触点の位置が、図中ｔ２に移行すると、容器側底板４６はさらに押し上げられて図中ａ２の位置にある。このとき、カム部材５７は容器側底板４６の下面に接触し、ガイドプレート６０の存在箇所の直前に達しているが、未だガイドプレート６０には接触していない。
【００４１】
容器側底板４６の下面に対するカム部材５７の接触点の位置が、図中ｔ３に移行すると、容器側底板４６はさらに押し上げられて図中ａ３の位置にある。このとき、カム部材５７はガイドプレート６０に乗り上げて、容器側底板４６を、ガイドプレート６０が存在しない場合に比べて、より高く押し上げている。
【００４２】
図中の仮想線で示す符号ｂ３は、同じｔ３の位置で、ガイドプレート６０が存在せずに、容器側底板４６の下面を押し上げている状態を示している。このように、ガイドプレート６０が存在しない場合には、カム部材５７の接触点の位置が、図中ｔ２にあった場合とほとんど変化がない。カム部材５７がガイドプレート６０に接触した状態で容器側底板４６を押し上げることにより、ａ３の位置にまで押し上げることができる。
【００４３】
このように、ガイドプレート６０を用いることによって、カム部材５７による押し上げ量が不足する揺動領域において、その不足分に近い量を押し上げることが可能であるようにしている。これにより、モアー装置４の上昇量に匹敵するように、容器側底板４６の前端部の上昇量を変化させられるので、モアー側底板４２と容器側底板４６との間における間隔変化を少なくし、刈草の漏れだし量を減少させ易い。
【００４４】
〔別実施形態の１〕
実施の形態では、ガイドプレート６０を、容器側底板４６における左右方向での一側端部のみに形成した構造のものを示したが、この構造に限られるものではない。例えば、ガイドプレート６０を、容器側底板４６における左右方向での中央部付近に設けたものであったり、ガイドプレート６０を、容器側底板４６における左右方向での左右両端部に形成した構造のものであってもよい。この場合、カム部材５７も、ガイドプレート６０の存在位置に合わせて設ける必要がある。
その他の構成は、前述した実施形態と同様の構成を採用すればよい。
【００４５】
〔別実施形態の２〕
実施の形態では、ガイドプレート６０の形状を、下向きＶ字状に屈曲させた構造のものとしたが、この構造に限られるものではない。例えば、緩やかな湾曲線の突出部分に形成するなど、適宜の形状を採用することができる。
その他の構成は、前述した実施形態と同様の構成を採用すればよい。
【００４６】
〔別実施形態の３〕
実施の形態では、ガイドプレート６０を、容器側底板４６の下面に対して帯板状の部材を溶接固定することによって構成した構造のものを例示したが、必ずしもこの構造に限られるものではない。例えば、容器側底板４６の下面を部分的に下方へ膨出させるなど、容器側底板４６と一体に形成したものであってもよい。
その他の構成は、前述した実施形態と同様の構成を採用すればよい。
【産業上の利用可能性】
【００４７】
本発明の乗用型草刈機は、大型機から小型機に至る各種の乗用型草刈機に利用可能である。
【符号の説明】
【００４８】
１Ｆ        前輪
１Ｒ        後輪
２          集草ダクト
４          モアー装置
５          集草容器
３４        モアー側ダクト部分
３５        容器側ダクト部分
４２        モアー側底板
４６        容器側底板
５２        連係リンク機構
５７        カム部材
６０        ガイドプレート
【図１】
2020103052.tif 000003
【図２】
2020103052.tif 000004
【図３】
2020103052.tif 000005
【図４】
2020103052.tif 000006
【図５】
2020103052.tif 000007
【図６】
2020103052.tif 000008